(57)【要約】【課題】ネジや工具を用いることなく、ユニットの着脱を行うことができるユニット取付構造を提供する。【解決手段】ユニット２０は、底面２１と、第１のフランジ部２２と、対のフランジ片から成る第２のフランジ部２３とを有している。取付板１０は、上板面１１上への装着が完了したユニット２０の奥行方向Ｄの前方Ｄｆならびに高さ方向Ｈの動きを規制すべく、第１のフランジ部２２が挿入されて係合する第１のフック部１２と、上板面１１上への装着が完了したユニット２０の奥行方向Ｄの前方Ｄｆならびに高さ方向Ｈの動きを規制すべく、第２のフランジ部２３の対のフランジ片が挿入されてそれぞれに係合する対の第２のフック片から成る第２のフック部１３と、上板面１１上を奥行方向に挿抜中のユニット２０の奥行方向の動きを許す一方、上板面１１上への装着が完了したユニット２０の奥行方向Ｄの後方Ｄｒへの動きを規制すべく、第２のフランジ部２３に対してそれぞれ係合解放可能に係合する対のロック片を含むロック部（板バネ）３１とを有している。【選択図】図４
2020129594.tif 000002
【特許請求の範囲】
【請求項１】
奥行方向および幅方向に延在する上板面を備えると共に高さ方向に沿った厚さを有する板体である取付板に対し、前記幅方向、前記奥行方向および前記高さ方向に沿って延在するユニット状を呈する装置であるユニットを、前記上板面上を前記奥行方向に沿って抜去可能に装着すると共に、装着が完了した前記ユニットを前記上板面に固定するユニット取付構造であって、
前記ユニットは、
前記奥行方向および前記幅方向に延在する底面と、
前記底面の前記奥行方向の前方側の一辺から前記奥行方向の前方に向かって延在する第１のフランジ部と、
前記底面の前記奥行方向の後方側の前記幅方向の両辺から、それぞれ前記幅方向の外側および前記奥行方向の後方に向かって延在する対のフランジ片から成る第２のフランジ部と、を有し、
前記取付板は、
前記上板面上に設けられ、前記上板面上への装着が完了した前記ユニットの前記奥行方向の前方ならびに前記高さ方向の動きを規制すべく、前記第１のフランジ部が挿入されて係合する第１のフック部と、
前記上板面上に、前記第２のフランジ部の前記対のフランジ片に対応した対向距離を置いて設けられ、前記上板面上への装着が完了した前記ユニットの前記奥行方向の前方ならびに前記高さ方向の動きを規制すべく、前記第２のフランジ部の前記対のフランジ片が挿入されてそれぞれに係合する対の第２のフック片から成る第２のフック部と、
前記板体に取り付けられ、前記上板面上を前記奥行方向に挿抜中の前記ユニットの前記奥行方向の動きを許す一方、前記上板面上への装着が完了した前記ユニットの前記奥行方向の後方への動きを規制すべく、前記第２のフランジ部に対してそれぞれ係合解放可能に係合する対のロック片を含むロック部と、を有する、ユニット取付構造。
【請求項２】
前記取付板は、前記上板面上に、前記記ユニットの前記幅方向の大きさに対応した対向距離を置いて設けられ、前記ユニットの前記幅方向の動きを規制すべく、前記ユニットの前記幅方向の両側面にそれぞれ係合する対のリブ片から成るリブ部をさらに有する、請求項１に記載のユニット取付構造。
【請求項３】
前記第１のフック部は、前記第１のフランジ部の進入を許す間隙高で前記奥行方向の後方に向かって開口し、
前記第２のフック部の前記対の第２のフック片は、それぞれ前記第２のフランジ部の前記対のフランジ片の進入を許す間隙高で前記奥行方向の後方に向かって開口している、請求項１または２に記載のユニット取付構造。
【請求項４】
前記第１のフック部は、開口端に面取り加工またはＲ付け加工が施され、
前記第２のフック部の前記対の第２のフック片は、各開口端に面取り加工またはＲ付け加工が施されている、請求項３に記載のユニット取付構造。
【請求項５】
前記ロック部の前記対のロック片は、弾性を有し、前記上板面上に搭載され、平板状を呈し、所定の大きさを超える押下力で押下すると前記上板面以下の高さに凹むように構成されている、請求項１〜４のいずれか一項に記載のユニット取付構造。
【請求項６】
前記ロック部は、前記幅方向に延在し、前記幅方向の中央部が前記上板面に取り付けられた単一もしくは２つの板バネによって構成され、
前記対のロック片は、前記単一の板バネの前記幅方向の両端部、もしくは、前記２つの板バネのそれぞれによって構成され、
前記上板面には、前記板バネの前記両端部が前記上板面以下の高さに凹むことを許容する凹部が設けられている、請求項５に記載のユニット取付構造。
【請求項７】
前記板バネの前記両端部は、前記上板面以下の高さに凹んだ時であっても、前記取付板の下板面から前記高さ方向の下方に突出しないように構成されている、請求項６に記載のユニット取付構造。
【請求項８】
前記板バネは、前記両端部から前記奥行方向の後方および前記高さ方向の上方に向かって延在し、前記押下力を受け付ける対の被押下部を有する、請求項６または７に記載のユニット取付構造。
【請求項９】
前記取付板と、前記ユニットと、請求項１〜８のいずれか一項に記載のユニット取付構造と、を有し、前記ユニットは、電気的動作をなす装置である、電子機器。
【発明の詳細な説明】
【技術分野】
【０００１】
本発明は、ユニット取付構造および電子機器に関する。
【背景技術】
【０００２】
例えばＰＯＳ（Point Of Sales）システムに用いられるＰＯＳ端末等の電子機器には、電気的動作をなす、ユニット状を呈する装置であるプリンタユニット等のユニットを、電子機器が備える取付板に対して取り外し可能に取り付けるユニット取付構造を有するものがある。
特許文献１には、筐体固定構造が開示されている。特許文献１に開示された筐体固定構造は、取付具に対して機器筐体をネジ止めによって固定している。
【先行技術文献】
【特許文献】
【０００３】
【特許文献１】実開平１−１３９４８７号公報
【発明の概要】
【発明が解決しようとする課題】
【０００４】
特許文献１に開示された筐体固定構造のように、ユニットを取付板に対してネジ止めによって取り外し可能に取り付ける構造は、ネジや工具を用いて着脱作業をする必要があるため、その作業性に改善の余地があると考えられる。
【０００５】
本発明は、上記の事情に鑑みてなされたものであり、ネジや工具を用いることなく、ユニットの着脱を行うことができるユニット取付構造を提供することを目的としている。
本発明の他の目的は、上記のようなユニット取付構造を有する電子機器を提供することである。
【課題を解決するための手段】
【０００６】
本発明によれば、奥行方向および幅方向に延在する上板面を備えると共に高さ方向に沿った厚さを有する板体である取付板に対し、前記幅方向、前記奥行方向および前記高さ方向に沿って延在するユニット状を呈する装置であるユニットを、前記上板面上を前記奥行方向に沿って抜去可能に装着すると共に、装着が完了した前記ユニットを前記上板面に固定するユニット取付構造であって、前記ユニットは、前記奥行方向および前記幅方向に延在する底面と、前記底面の前記奥行方向の前方側の一辺から前記奥行方向の前方に向かって延在する第１のフランジ部と、前記底面の前記奥行方向の後方側の前記幅方向の両辺から、それぞれ前記幅方向の外側および前記奥行方向の後方に向かって延在する対のフランジ片から成る第２のフランジ部と、を有し、前記取付板は、前記上板面上に設けられ、前記上板面上への装着が完了した前記ユニットの前記奥行方向の前方ならびに前記高さ方向の動きを規制すべく、前記第１のフランジ部が挿入されて係合する第１のフック部と、前記上板面上に前記第２のフランジ部の前記対のフランジ片に対応した対向距離を置いて設けられ、前記上板面上への装着が完了した前記ユニットの前記奥行方向の前方ならびに前記高さ方向の動きを規制すべく、前記第２のフランジ部の前記対のフランジ片が挿入されてそれぞれに係合する対の第２のフック片から成る第２のフック部と、前記板体に取り付けられ、前記上板面上を前記奥行方向に挿抜中の前記ユニットの前記奥行方向の動きを許す一方、前記上板面上への装着が完了した前記ユニットの前記奥行方向の後方への動きを規制すべく、前記第２のフランジ部に対してそれぞれ係合解放可能に係合する対のロック片を含むロック部と、を有する、ユニット取付構造が得られる。
【０００７】
本発明によればまた、前記取付板と、前記ユニットと、前記ユニット取付構造と、を有し、前記ユニットは、電気的動作をなす装置である、電子機器が得られる。
【発明の効果】
【０００８】
本発明によるユニット取付構造は、ネジや工具を用いることなく、ユニットの着脱を行うことができる。
【図面の簡単な説明】
【０００９】
【図１】（ａ）および（ｂ）は、本発明によるユニット取付構造におけるユニットの斜視図である。
【図２】本発明の第１の実施形態によるユニット取付構造が適用される取付板の斜視図である。
【図３】本発明の第１の実施形態によるユニット取付構造の（ａ）は斜視図、（ｂ）は部分的な斜視図である。
【図４】本発明の第１の実施形態によるユニット取付構造の斜視図である。
【図５】本発明の第１の実施形態によるユニット取付構造の斜視図であり、（ａ）は取付板に対してユニットを挿入途中の斜視図、（ｂ）は取付板に対してユニットを挿入途中の部分的な斜視図、（ｃ）は取付板に対してユニットの装着が完了した状態の部分的な斜視図である。
【図６】本発明の第２の実施形態によるユニット取付構造における取付板の斜視図である。
【図７】本発明の第２の実施形態によるユニット取付構造の斜視図である。
【図８】本発明の第１の実施形態によるユニット取付構造における、板バネを外した状態の取付板の斜視図である。
【図９】本発明の第２の実施形態によるユニット取付構造における板バネの（ａ）は上面図、（ｂ）は背面図、（ｃ）は左側面図である。
【図１０】本発明の第２の実施形態によるユニット取付構造における、板バネを外した状態の取付板の斜視図である。
【図１１】（ａ）は本発明の第１、第２の実施形態によるユニット取付構造におけるユニットの部分的な上面図、（ｂ）は本発明の第１または第２の実施形態の変形例によるユニット取付構造におけるユニットの部分的な上面図である。
【図１２】本発明の第１、第２の実施形態によるユニット取付構造におけるユニットのロアケースの斜視図である。
【発明を実施するための形態】
【００１０】
以下、本発明によるユニット取付構造ならびに電子機器の実施形態を、図面を参照して説明する。
【００１１】
本実施形態においては、取付板として、電子機器としてのＰＯＳ端末装置の筐体フレームに取り付けられた取付板を例に挙げる。また、ユニットとして、ＰＯＳ端末装置の取付板に対して取り外し可能に取り付けられるプリンタユニットを例に挙げる。
【００１２】
尚、図中、電子機器であるＰＯＳ端末装置の本体としては、取付板のみを示している。また、図中、符号Ｗ、Ｈ、Ｄを付した矢印はそれぞれ、本実施形態によるユニット取付構造の左方向（左方）Ｗｌおよび右方向（右方）Ｗｒを含む幅方向Ｗ、下方向（下方）Ｈｌおよび上方向（上方）Ｈｕを含む高さ方向Ｈ、前方向（前方）Ｄｆおよび後ろ方向（後方）Ｄｒを含む奥行方向Ｄを表している。
【００１３】
［第１の実施形態］
図１〜図５、図８、図１１、図１２を参照すると、本発明の第１の実施形態によるユニット取付構造は、ＰＯＳ端末装置の筐体フレームに取り付けられた取付板１０に対し、ユニット（プリンタユニット）２０を取り外し可能に取り付けるものである。
【００１４】
取付板１０は、ステンレススチール板や亜鉛めっき鋼板から成り、奥行方向Ｄおよび幅方向Ｗに延在する上板面１１を備えると共に高さ方向Ｈに沿った厚さを有する板体である。ユニット２０は、幅方向Ｗ、奥行方向Ｄおよび高さ方向Ｈに沿って延在するユニット状を呈している。本ユニット取付構造は、より具体的には、取付板１０に対し、ユニット２０を、上板面１１上を奥行方向Ｄに沿って抜去可能に装着すると共に、装着が完了したユニット２０を上板面１１に固定するものである。取付板１０は、四角形状を呈しているが、四角形状でなくともよい。
【００１５】
ユニット２０は、図１（ａ）および（ｂ）等に示すように、奥行方向Ｄおよび幅方向Ｗに延在する底面２１と、第１のフランジ部２２と、第２のフランジ部２３と、幅方向Ｗにおける両側面（左右側面）２４とを有している。ユニット２０の底面２１は、略四角形である。
第１のフランジ部２２は、底面２１の奥行方向Ｄの前方Ｄｆ側の一辺から奥行方向Ｄの前方Ｄｆに向かって延在している。
【００１６】
第２のフランジ部２３は、底面２１の奥行方向Ｄの後方Ｄｒ側の幅方向Ｗの両辺から、それぞれ幅方向Ｗの外側および奥行方向Ｄの後方Ｄｒに向かって延在する対のフランジ片から成っている。
【００１７】
尚、本発明において、第２のフランジ部は、ユニット２０の図１１（ａ）に示す位置に設けられた第２のフランジ部２３に代えて、ユニット２０’の図１１（ｂ）に示す位置に設けられた第２のフランジ部２３’等であってもよい。
【００１８】
より具体的には、ユニット２０は、図１２に示す、ステンレススチール板や亜鉛めっき鋼板から成るロアケース２５を有している。底面２１、第１のフランジ部２２および第２のフランジ部２３は、板金加工により、ロアケース２５と一体に設けられている。また、図１２中、符号２６は、ユニット２０の底部が後述するロック部としての板バネと干渉しないための切欠部を示している。尚、本発明において、ユニットの底面、第１のフランジ部および第２のフランジ部は、本実施形態のごとく、ユニットの筐体の一部をなすロアケースに設けるのではなく、ユニットの筐体の底面に別部材として取り付けられる板体に設けるようにしてもよい。
【００１９】
取付板１０は、図２、図８に示すように、上板面１１と、第１のフック部１２と、第２のフック部１３と、リブ部１４と、ロック部３１とを有している。上板面１１、第１のフック部１２、第２のフック部１３およびリブ部１４は、板金加工により、取付板１０の本体（板体）と一体に設けられている。尚、取付板１０の厚さは、後述する板バネ３１の厚さよりも厚い。
【００２０】
第１のフック部１２は、上板面１１上に、第１のフランジ部２２の幅方向Ｗの大きさに対応した対向距離を置いて設けられ、図４に示すように、上板面１１上への装着が完了したユニット２０の奥行方向Ｄの前方Ｄｆならびに高さ方向Ｈの動きを規制すべく、第１のフランジ部２２が挿入されて係合する対の第１のフック片から成っている。尚、本発明において、第１のフック部は、対の第１のフック片から成るものではなく、単一のフックであってもよい。
【００２１】
第２のフック部１３は、上板面１１上に、第２のフランジ部２３の対のフランジ片に対応した対向距離を置いて設けられ、図３（ｂ）および図５（ｃ）に示すように、上板面１１上への装着が完了したユニット２０の奥行方向Ｄの前方Ｄｆならびに高さ方向Ｈの動きを規制すべく、第２のフランジ部２３の対のフランジ片が挿入されてそれぞれに係合する対の第２のフック片から成っている。
【００２２】
より具体的には、図２、図８に示すように、第１のフック部１２は、第１のフランジ部２２の進入を許す間隙高で奥行方向Ｄの後方Ｄｒに向かって開口している。同様に、第２のフック部１３の対の第２のフック片も、それぞれ第２のフランジ部２３の対のフランジ片の進入を許す間隙高で奥行方向Ｄの後方Ｄｒに向かって開口している。さらに、第１のフック部１２は、その開口端に面取加工部１２ｃを備えている。尚、面取加工部に代えて、Ｒ付加工部であってもよい。同様に、第２のフック部１３の対の第２のフック片も、各開口端に面取加工部１３ｃを備えている。尚、面取加工部に代えて、Ｒ付加工部であってもよい。
【００２３】
リブ部１４は、上板面１１上に、ユニット２０の幅方向Ｗの両側面（左右側面）２４に対応した対向距離を置いて設けられ、それぞれユニット２０の幅方向Ｗの動きを規制すべく、ユニット２０の幅方向Ｗの両側面２４にそれぞれ係合する対のリブ片から成っている。リブ部１４の対のリブ片の対向する面は、平行である。
【００２４】
ロック部３１は、取付板１０の本体（板体）に取り付けられ、上板面１１上を奥行方向Ｄに挿抜中のユニット２０の奥行方向Ｄの動きを許す一方、上板面１１上への装着が完了したユニット２０の奥行方向Ｄの後方Ｄｒへの動きを規制すべく、第２のフランジ部２３に対してそれぞれ係合解放可能に係合する対のロック片を含んでいる。
【００２５】
ロック部３１の対のロック片は弾性を有し、上板面１１上に搭載されており、平板状を呈している。ロック部３１の対のロック片は、所定の大きさを超える押下力で押下すると上板面１１以下の高さに凹むように構成されている。
【００２６】
ロック部３１は、より具体的には、図２、図８に示すように、幅方向Ｗに延在し、幅方向Ｗの中央部が上板面１１にスポット溶接等によって取り付けられた単一の板バネによって構成されている。ロック部３１は、単一の板バネではなく、対称的な形状の２つの板バネによって構成されてもよい。対のロック片は、ロック部（板バネ）３１の幅方向Ｗの両端部によって構成されている。尚、ロック部が２つの板バネによって構成される場合には、対のロック片は、２つの板バネのそれぞれによって構成される。また、取付板１０の上板面１１には、板バネ３１の両端部が上板面１１以下の高さに凹むことを許容する凹部（孔部）１１ｓが設けられている。板バネ３１の両端部は、上板面１１以下の高さに凹んだ時であっても、取付板１０の下板面から高さ方向Ｈの下方Ｈｌに突出しないように構成されている。尚、第２のフランジ部２３の厚さは、板バネ３１の厚さよりも厚い。
次に、本ユニット取付構造を用いた取付板に対するユニットの取り付け方法を説明する。
【００２７】
まず、取付板１０の奥行方向Ｄの前方Ｄｒからユニット２０を、第１のフランジ部２２の先端が上板面１１のロック部（板バネ）３１と第１フック部１２との間に接するようにして奥行方向Ｄの前方Ｄｆに向かって摺動する。
【００２８】
奥行方向Ｄの前方Ｄｆに向かって摺動されるユニット２０の第２のフランジ部２３の対のフランジ片が、図５（ａ）および（ｂ）に示すように板バネ３１の対のロック片上に来たとき、対のロック片が、対のフランジ片によって高さ方向Ｈの下方Ｈｌに向かって押下され、上板面１１以下の高さに凹む。対のロック片は、ユニット２０の重量によって押し下げられるが、ユニットが軽量で押し下げられない場合は、ユニットに上方から力を加えて押し下げるようにすればよい。
【００２９】
ユニット２０は、ユニット２０の幅方向Ｗの両側面２４がガイド部１４によって幅方向Ｗの動きが規制されながら、奥行方向Ｄの前方Ｄｆに向かって摺動される。
【００３０】
奥行方向Ｄの前方Ｄｆに向かってさらに摺動されるユニット２０は、第１のフランジ部２２が取付板１０の第１のフック部１２の開口部に挿入されると共に、第２のフランジ部２３の対のフランジ片が第２のフック部１３の対の第２のフック片の各開口部に挿入される。第１のフランジ部２２の第１のフック部１２の開口部への挿入と、第２のフランジ部２３の対のフランジ片の第２のフック部１３の対の第２のフック片の各開口部への挿入とが完了して、ユニット２０の取付板１０への装着が完了する。このとき、第１のフランジ部２２と第１のフック部１２とが係合し、第２のフランジ部２３の対のフランジ片と第２のフック部１３の対の第２のフック片とが係合している。
【００３１】
さらに、ユニット２０の取付板１０への装着が完了したとき、即ち、第２のフランジ部２３の対のフランジ片が板バネ３１の対のロック片よりも奥行方向Ｄの前方Ｄｆ側に来たとき、対のフランジ片による対のロック片の押下が終了する。板バネ３１の対のロック片は、弾性によって高さ方向Ｈの上方Ｈｕに向かって上昇し、第２のフランジ部２３の奥行方向Ｄの後方Ｄｒ側の端縁に係合する。
【００３２】
その結果、ユニット２０は、図３（ａ）および（ｂ）、図４、図５（ｃ）に示すように、奥行方向Ｄの前方Ｄｆへの動きならびに高さ方向Ｈの動きが取付板１０の上板面１１、第２のフック部１２および第２のフック部１３によって規制される。また、ユニット２０は、図３（ａ）、図４、図５（ａ）に示すように、幅方向Ｗの動きがリブ部１４によって規制される。さらに、ユニット２０は、図３（ａ）および（ｂ）、図４、図５（ｃ）に示すように、奥行方向Ｄの後方Ｄｒへの動きがロック部（板バネ）３１によって規制される。即ち、ユニット２０は、取付板１０に固定される。
次に、本ユニット取付構造を用いた取付板からのユニットの取り外し方法を説明する。
【００３３】
まず、図３（ａ）および（ｂ）、図４、図５（ｃ）に示すようにユニット２０が固定されている取付板１０のロック部（板バネ）３１の対のロック片を、操作者が、高さ方向Ｈの下方Ｈｌに向かって上板面１１以下の高さになるまで押下する。これにより、第２のフランジ部２３に対するロック部（板バネ）３１の係合が解除され、ユニット２０を奥行方向Ｄの後方Ｄｒ側に摺動可能になる。ユニット２０が奥行方向Ｄの後方Ｄｒ側に摺動され始めると、操作者がロック部３１から手を離し、以後はユニット２０の底面２１によってロック部（板バネ）３１の押下がなされる。
奥行方向Ｄの後方Ｄｒにさらに摺動されるユニット２０は、取付板１０から取り外される。
【００３４】
本発明の第１の実施形態によるユニット取付構造によれば、ネジや工具を用いることなく、ユニットの着脱を行うことができる。さらに、取付板の下板面から高さ方向の下方に向かって突出するものがなく、ユニット取付構造を低背化できる。
【００３５】
［第２の実施形態］
本発明の第２の実施形態は、ロック部としての板バネの形状が、第１の実施形態とは異なっている。よって、第２の実施形態の、第１の実施形態と同一もしくは同様の構成については、図面も含めて第１の実施形態の説明を援用することとし、詳細な説明を省略する。
【００３６】
図６、図７、図９、図１０を参照すると、本発明の第２の実施形態によるユニット取付構造は、第１の実施形態と同様に、ＰＯＳ端末装置の筐体フレームに取り付けられた取付板１５に対し、図１（ａ）および（ｂ）等に示すユニット（プリンタユニット）２０を取り外し可能に取り付けるものである。
【００３７】
取付板１５は、ステンレススチール板や亜鉛めっき鋼板から成り、奥行方向Ｄおよび幅方向Ｗに延在する上板面１６を備えると共に高さ方向Ｈに沿った厚さを有する板体である。ユニット２０は、幅方向Ｗ、奥行方向Ｄおよび高さ方向Ｈに沿って延在するユニット状を呈している。本ユニット取付構造は、より具体的には、取付板１５に対し、ユニット２０を、上板面１６上を奥行方向Ｄに沿って抜去可能に装着すると共に、装着が完了したユニット２０を上板面１６に固定するものである。取付板１５は、四角形状を呈しているが、四角形状でなくともよい。
【００３８】
ユニット２０は、奥行方向Ｄおよび幅方向Ｗに延在する底面２１と、第１のフランジ部２２と、第２のフランジ部２３と、幅方向Ｗにおける両側面（左右側面）２４とを有している。第１のフランジ部２２は、底面２１の奥行方向Ｄの前方Ｄｆ側の一辺から奥行方向Ｄの前方Ｄｆに向かって延在している。第２のフランジ部２３は、底面２１の奥行方向Ｄの後方Ｄｒ側の幅方向Ｗの両辺から、それぞれ幅方向Ｗの外側および奥行方向Ｄの後方Ｄｒに向かって延在する対のフランジ片から成っている。
【００３９】
取付板１５は、図６、図１０に示すように、上板面１６と、第１のフック部１２と、第２のフック部１３と、リブ部１４と、ロック部３２とを有している。上板面１６、第１のフック部１２、第２のフック部１３およびリブ部１４は、板金加工により、取付板１５の本体（板体）と一体に設けられている。尚、取付板１５の厚さは、後述する板バネ３２の厚さよりも厚い。
【００４０】
第１のフック部１２は、上板面１６上に、第１のフランジ部２２の幅方向Ｗの大きさに対応した対向距離を置いて設けられ、図４に示すように、上板面１６上への装着が完了したユニット２０の奥行方向Ｄの前方Ｄｆならびに高さ方向Ｈの動きを規制すべく、第１のフランジ部２２が挿入されて係合する対の第１のフック片から成っている。尚、本発明において、第１のフック部は、対の第１のフック片から成るものではなく、単一のフックであってもよい。第２のフック部１３は、上板面１６上に、第２のフランジ部２３の対のフランジ片に対応した対向距離を置いて設けられ、図３（ｂ）および図５（ｃ）に示すように、上板面１６上への装着が完了したユニット２０の奥行方向Ｄの前方Ｄｆならびに高さ方向Ｈの動きを規制すべく、第２のフランジ部２３の対のフランジ片が挿入されてそれぞれに係合する対の第２のフック片から成っている。より具体的には、図６、図１０に示すように、第１のフック部１２は、第１のフランジ部２２の進入を許す間隙高で奥行方向Ｄの後方Ｄｒに向かって開口している。同様に、第２のフック部１３の対の第２のフック片も、それぞれ第２のフランジ部２３の対のフランジ片の進入を許す間隙高で奥行方向Ｄの後方Ｄｒに向かって開口している。さらに、第１のフック部１２は、その開口端に面取加工部１２ｃを備えている。尚、面取加工部に代えて、Ｒ付加工部であってもよい。同様に、第２のフック部１３の対の第２のフック片も、各開口端に面取加工部１３ｃを備えている。尚、面取加工部に代えて、Ｒ付加工部であってもよい。
【００４１】
リブ部１４は、上板面１６上に、ユニット２０の幅方向Ｗの両側面（左右側面）２４に対応した対向距離を置いて設けられ、それぞれユニット２０の幅方向Ｗの動きを規制すべく、ユニット２０の幅方向Ｗの両側面２４にそれぞれ係合する対のリブ片から成っている。リブ部１４の対のリブ片の対向する面は、平行である。
【００４２】
ロック部３２は、取付板１５の本体（板体）に取り付けられ、上板面１６上を奥行方向Ｄに挿抜中のユニット２０の奥行方向Ｄの動きを許す一方、上板面１６上への装着が完了したユニット２０の奥行方向Ｄの後方Ｄｒへの動きを規制すべく、第２のフランジ部２３に対してそれぞれ係合解放可能に係合する対のロック片を含んでいる。
【００４３】
ロック部３２の対のロック片は弾性を有し、上板面１６上に搭載されており、平板状を呈している。ロック部３２の対のロック片は、所定の大きさを超える押下力で押下すると上板面１６以下の高さに凹むように構成されている。
【００４４】
ロック部３２は、より具体的には、図６、図１０に示すように、幅方向Ｗに延在し、幅方向Ｗの中央部が上板面１６にスポット溶接等によって取り付けられた単一の板バネによって構成されている。ロック部３２は、単一の板バネではなく、対称的な形状の２つの板バネによって構成されてもよい。
【００４５】
対のロック片は、ロック部（板バネ）３２の幅方向Ｗの両端部によって構成されている。また、取付板１５の上板面１６には、板バネ３２の両端部が上板面１６以下の高さに凹むことを許容する凹部（孔部）１６ｓが設けられている。
【００４６】
尚、取付板１５の上板面１６の２つの凹部１６ｓ間には、２箇所のハーフピアスとも呼ばれる突起１６ｐが設けられている。一方、ロック部（板バネ）３２の中央部には、２箇所の突起１６ｐに対応して２箇所の孔部３２ｓが設けられている。これにより、板バネ３２は、取付板１５の所定位置に取り付けられる。
【００４７】
板バネ３２はまた、幅方向Ｗの両端部から奥行方向Ｄの後方Ｄｒおよび高さ方向Ｈの上方Ｈｕに向かって延在し、押下力を受け付ける対の被押下部３２ｋを備えている。被押下部３２ｋは、その下側面と取付板１５の上板面１６との間に板バネ３２の板厚以上かつ取付板１５の板厚以下の大きさの間隙を置いて、高さ方向Ｈの上方Ｈｕに向かって突出している。これにより、板バネ３２の両端部は、上板面１６以下の高さに凹んだ時であっても、対の被押下部３２ｋが謂わばストッパとなって過剰に凹むことがなく、取付板１５の下板面から高さ方向Ｈの下方Ｈｌに突出することがない。尚、第２のフランジ部２３の厚さは、板バネ３２の厚さよりも厚い。
次に、本ユニット取付構造を用いた取付板に対するユニットの取り付け方法を説明する。
【００４８】
まず、取付板１５の奥行方向Ｄの前方Ｄｒからユニット２０を、第１のフランジ部２２の先端が上板面１６のロック部（板バネ）３２と第１フック部１２との間に接するようにして奥行方向Ｄの前方Ｄｆに向かって摺動する。
【００４９】
奥行方向Ｄの前方Ｄｆに向かって摺動されるユニット２０の第２のフランジ部２３の対のフランジ片が、図５（ａ）および（ｂ）に示すように板バネ３２の対のロック片上に来たとき、対のロック片が、対のフランジ片によって高さ方向Ｈの下方Ｈｌに向かって押下され、上板面１６以下の高さに凹む。対のロック片は、ユニット２０の重量によって押し下げられるが、ユニットが軽量で押し下げられない場合は、ユニットに上方から力を加えて押し下げるようにすればよい。
【００５０】
ユニット２０は、ユニット２０の幅方向Ｗの両側面２４がガイド部１４によって幅方向Ｗの動きが規制されながら、奥行方向Ｄの前方Ｄｆに向かって摺動される。
【００５１】
奥行方向Ｄの前方Ｄｆに向かってさらに摺動されるユニット２０は、第１のフランジ部２２が取付板１５の第１のフック部１２の開口部に挿入されると共に、第２のフランジ部２３の対のフランジ片が第２のフック部１３の対の第２のフック片の各開口部に挿入される。第１のフランジ部２２の第１のフック部１２の開口部への挿入と、第２のフランジ部２３の対のフランジ片の第２のフック部１３の対の第２のフック片の各開口部への挿入とが完了して、ユニット２０の取付板１５への装着が完了する。このとき、第１のフランジ部２２と第１のフック部１２とが係合し、第２のフランジ部２３の対のフランジ片と第２のフック部１３の対の第２のフック片とが係合している。
【００５２】
さらに、ユニット２０の取付板１５への装着が完了したとき、即ち、第２のフランジ部２３の対のフランジ片が板バネ３２の対のロック片よりも奥行方向Ｄの前方Ｄｆ側に来たとき、対のフランジ片による対のロック片の押下が終了する。板バネ３２の対のロック片は、弾性によって高さ方向Ｈの上方Ｈｕに向かって上昇し、第２のフランジ部２３の奥行方向Ｄの後方Ｄｒ側の端縁に係合する。
【００５３】
その結果、ユニット２０は、図３（ａ）および（ｂ）、図４、図５（ｃ）に示すように、奥行方向Ｄの前方Ｄｆへの動きならびに高さ方向Ｈの動きが取付板１５の上板面１６、第２のフック部１２および第２のフック部１３によって規制される。また、ユニット２０は、図３（ａ）、図４、図５（ａ）に示すように、幅方向Ｗの動きがリブ部１４によって規制される。さらに、ユニット２０は、図３（ａ）および（ｂ）、図４、図５（ｃ）に示すように、奥行方向Ｄの後方Ｄｒへの動きがロック部（板バネ）３２によって規制される。即ち、ユニット２０は、取付板１５に固定される。
次に、本ユニット取付構造を用いた取付板からのユニットの取り外し方法を説明する。
【００５４】
まず、図３（ａ）および（ｂ）、図４、図５（ｃ）に示すようにユニット２０が固定されている取付板１５のロック部（板バネ）３２の対の被押下部３２ｋを、操作者が、対のロック片が高さ方向Ｈの下方Ｈｌに向かって上板面１６以下の高さになるまで押下する。これにより、第２のフランジ部２３に対するロック部（板バネ）３２の係合が解除され、ユニット２０を奥行方向Ｄの後方Ｄｒ側に摺動可能になる。ユニット２０が奥行方向Ｄの後方Ｄｒ側に摺動され始めると、操作者がロック部３２から手を離し、以後はユニット２０の底面２１によってロック部（板バネ）３２の押下がなされる。
奥行方向Ｄの後方Ｄｒにさらに摺動されるユニット２０は、取付板１５から取り外される。
【００５５】
本発明の第２の実施形態によるユニット取付構造によれば、第１の実施形態と同様に、ネジや工具を用いることなく、ユニットの着脱を行うことができる。また、取付板の下板面から高さ方向の下方に向かって突出するものがなく、ユニット取付構造を低背化できる。さらに、第２の実施形態においては、板バネに設けられた被押下部を押下して板バネの両端部を取付板の上板面の高さ以下に凹ませることができるため、ユニットの抜去時に押下操作がし易い。さらに、被押下部が過剰なストロークの押下に対するストッパとしても機能するため、板バネの塑性変形を防止する効果をも奏する。
【００５６】
本発明は、以上説明した実施形態においては、電子機器としてＰＯＳ端末を、ユニットとしてプリンタユニットを例に挙げたが、本発明における電子機器はＰＯＳ端末に限定されず、また、ユニットはプリンタユニットに限定されるものではない。
【符号の説明】
【００５７】
１０、１５    取付板
１１、１６    上板面
１１ｓ、１６ｓ  凹部（孔部）
１２    第１のフック部
１３    第２のフック部
１４    リブ部
１６ｐ  突起
２０    ユニット（プリンタユニット）
２１    底面
２２    第１のフランジ部
２３、２３’  第２のフランジ部
２４    側面
２５    ロアケース
２６    切欠部
３１、３２    ロック部（板バネ）
３２ｋ    被押下部
３２ｓ    孔部
【図１】
2020129594.tif 000003
【図２】
2020129594.tif 000004
【図３】
2020129594.tif 000005
【図４】
2020129594.tif 000006
【図５】
2020129594.tif 000007
【図６】
2020129594.tif 000008
【図７】
2020129594.tif 000009
【図８】
2020129594.tif 000010
【図９】
2020129594.tif 000011
【図１０】
2020129594.tif 000012
【図１１】
2020129594.tif 000013
【図１２】
2020129594.tif 000014
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
奥行方向および幅方向に延在する上板面を備えると共に高さ方向に沿った厚さを有する板体である取付板に対し、前記幅方向、前記奥行方向および前記高さ方向に沿って延在するユニット状を呈する装置であるユニットを、前記上板面上を前記奥行方向に沿って抜去可能に装着すると共に、装着が完了した前記ユニットを前記上板面に固定するユニット取付構造であって、
前記ユニットは、
前記奥行方向および前記幅方向に延在する底面と、
前記底面の前記奥行方向の前方側の一辺から前記奥行方向の前方に向かって延在する第１のフランジ部と、
前記底面の前記奥行方向の後方側の前記幅方向の両辺から、それぞれ前記幅方向の外側および前記奥行方向の後方に向かって延在する対のフランジ片から成る第２のフランジ部と、を有し、
前記取付板は、
前記上板面上に設けられ、前記上板面上への装着が完了した前記ユニットの前記奥行方向の前方ならびに前記高さ方向の動きを規制すべく、前記第１のフランジ部が挿入されて係合する第１のフック部と、
前記上板面上に、前記第２のフランジ部の前記対のフランジ片に対応した対向距離を置いて設けられ、前記上板面上への装着が完了した前記ユニットの前記奥行方向の前方ならびに前記高さ方向の動きを規制すべく、前記第２のフランジ部の前記対のフランジ片が挿入されてそれぞれに係合する対の第２のフック片から成る第２のフック部と、
前記板体に取り付けられ、前記上板面上を前記奥行方向に挿抜中の前記ユニットの前記奥行方向の動きを許す一方、前記上板面上への装着が完了した前記ユニットの前記奥行方向の後方への動きを規制すべく、前記第２のフランジ部に対してそれぞれ係合解放可能に係合する対のロック片を含むロック部と、を有し、
前記ロック部の前記対のロック片は、弾性を有し、前記上板面上に搭載され、平板状を呈し、所定の大きさを超える押下力で押下すると前記上板面以下の高さに凹むように構成され、
前記ロック部は、前記幅方向に延在し、前記幅方向の中央部が前記上板面に取り付けられた単一もしくは２つの板バネによって構成され、
前記対のロック片は、前記単一の板バネの前記幅方向の両端部、もしくは、前記２つの板バネのそれぞれによって構成され、
前記上板面には、前記板バネの前記両端部が前記上板面以下の高さに凹むことを許容する凹部が設けられている、ユニット取付構造。
【請求項２】
前記取付板は、前記上板面上に、前記記ユニットの前記幅方向の大きさに対応した対向距離を置いて設けられ、前記ユニットの前記幅方向の動きを規制すべく、前記ユニットの前記幅方向の両側面にそれぞれ係合する対のリブ片から成るリブ部をさらに有する、請求項１に記載のユニット取付構造。
【請求項３】
前記第１のフック部は、前記第１のフランジ部の進入を許す間隙高で前記奥行方向の後方に向かって開口し、
前記第２のフック部の前記対の第２のフック片は、それぞれ前記第２のフランジ部の前記対のフランジ片の進入を許す間隙高で前記奥行方向の後方に向かって開口している、請求項１または２に記載のユニット取付構造。
【請求項４】
前記第１のフック部は、開口端に面取り加工またはＲ付け加工が施され、
前記第２のフック部の前記対の第２のフック片は、各開口端に面取り加工またはＲ付け加工が施されている、請求項３に記載のユニット取付構造。
【請求項５】
前記板バネの前記両端部は、前記上板面以下の高さに凹んだ時であっても、前記取付板の下板面から前記高さ方向の下方に突出しないように構成されている、請求項１〜４のいずれか一項に記載のユニット取付構造。
【請求項６】
前記板バネは、前記両端部から前記奥行方向の後方および前記高さ方向の上方に向かって延在し、前記押下力を受け付ける対の被押下部を有する、請求項１〜５のいずれか一項に記載のユニット取付構造。
【請求項７】
前記取付板と、前記ユニットと、請求項１〜６のいずれか一項に記載のユニット取付構造と、を有し、前記ユニットは、電気的動作をなす装置である、電子機器。